(57)【特許請求の範囲】
【請求項１】
物理セル識別子の割り当てが必要となる割り当て待機のセルと関連する各々サンプリングポイントのセル無線測定インデックス情報を取得ステップであって、前記セル無線測定インデックス情報は、セル的信号クオリティを示す前記取得ステップと、
前記セル無線測定インデックス情報に基づき、同一チャネルの干渉サンプリングポイントを特定し、前記同一チャネルの干渉サンプリングポイントのセル無線測定インデックス情報に基づき、隣接セルを取得するステップと、
特定した隣接セルの現在物理セル識別子をＭＯＤ３に従い余数値を得、余数値が同一である隣接セルを１種類とするステップと、
前記セル無線測定インデックス情報に基づき、各種類の隣接セルから前記割り当て待機のセルへの干渉度を特定し、最小干渉度に対応する余数値に基づき、前記割り当て待機のセルに対し物理セル識別子を割り当てるステップとを備え、
前記干渉サンプリングポイントのセル無線測定インデックス情報に基づき、隣接セルを特定した後、特定した隣接セルの現在物理セル識別子をＭＯＤ３に従い余数値を得、余数値が同一である隣接セルを１種類とする前に、
各々隣接セルの第１性能属性情報値を計算するステップであって、ここで、前記第１性能属性情報値は、当該隣接セルの受信電力強度を示す前記計算ステップと、
対応の第１性能属性情報値が隣接セルの干渉閾値になる隣接セルを、ターゲット干渉隣接セルとするステップとを備え、
特定した隣接セルの現在物理セル識別子をＭＯＤ３に従い余数値を得、余数値が同一である隣接セルを１種類とするステップは、
前記ターゲット干渉隣接セルの現在物理セル識別子をＭＯＤ３により余数値を得、余数値が同一である隣接セルを１種類とするステップを備えることを特徴とする物理セルの識別子の割り当て方法。
【請求項２】
各々隣接セルの第１性能属性情報値を計算するステップは、
いずれの隣接セルについて、すべての干渉サンプリングポイントに対応するすべてのセル無線測定インデックス情報から、当該隣接セルに対応するすべての第２性能属性情報値を選出ステップであって、ここで、当該隣接セルに対応するいずれの第２性能属性情報値は、当該隣接セルの受信電力強度を示す前記選出ステップと、
選出したすべての第２性能属性情報値の平均値を、当該隣接セルの第１性能属性情報値とするステップとを備えることを特徴とする請求項１に記載の物理セルの識別子の割り当て方法。
【請求項３】
前記セル無線測定インデックス情報に基づき、各種類の隣接セルから前記割り当て待機のセルへの干渉度を特定するステップは、
各種類の隣接セルについて、前記種類に含まれる各々隣接セルの干渉度を計算し、算出した前記種類の各々干渉セルの干渉度の和を、前記種類干渉隣接セルから前記割り当て待機のセルへの干渉度とするステップを備えることを特徴とする請求項１に記載の物理セルの識別子の割り当て方法。
【請求項４】
前記種類に含まれる各々隣接セルの干渉度を計算するステップは、
いずれの隣接セルについて、対応のセル無線測定インデックス情報に前記隣接セルの第２性能属性情報値が含まれるすべての関連の干渉サンプリングポイントを確定するステップと、
いずれの関連の干渉サンプリングポイントについて、前記関連のサンプリングポイントに対応する前記割り当て待機のセルのセル無線測定インデックス情報値及び当該隣接セルの第２性能属性情報値に基づき、当該隣接セルから前記割り当て待機のセルへのサブ干渉度を計算するステップであって、ここで、前記関連のサンプリングポイントに対応するセル無線測定インデックス情報は前記サブ干渉度とマイナス関連となり、前記当該隣接セルの第２性能属性情報値は前記干渉度とマイナス関連となる前記計算ステップと、
算出したすべてのサブ干渉度の和を、前記隣接セルの干渉度とするステップとを備えることを特徴とする請求項３に記載の物理セルの識別子の割り当て方法。
【請求項５】
最小干渉度に対応する余数値に基づき、前記割り当て待機のセルに対し物理セル識別子を割り当てるステップは、
最小干渉度に対応する余数値を、前記割り当て待機のセルの物理セル識別子の一次同期信号（ＰＳＳ）値とするステップを備えることを特徴とする請求項１に記載の物理セルの識別子の割り当て方法。
【請求項６】
物理セル識別子の割り当てが必要となる割り当て待機のセルと関連する各々サンプリングポイントのセル無線測定インデックス情報を取得する取得ユニットであって、前記セル無線測定インデックス情報は、セル的信号クオリティを示す前記取得ユニットと、
前記セル無線測定インデックス情報に基づき、同一チャネルの干渉サンプリングポイントを特定し、前記同一チャネルの干渉サンプリングポイントのセル無線測定インデックス情報に基づき、隣接セルを取得する特定ユニットと、
特定した隣接セルの現在物理セル識別子をＭＯＤ３に従い余数値を得、余数値が同一である隣接セルを１種類とする分類ユニットと、
前記セル無線測定インデックス情報に基づき、各種類の隣接セルから前記割り当て待機のセルへの干渉度を特定し、最小干渉度に対応する余数値に基づき、前記割り当て待機のセルに対し物理セル識別子を割り当てる割り当てユニットとを備え、
前記特定ユニットは、
各々隣接セルの第１性能属性情報値を計算し、ここで、前記第１性能属性情報値は、当該隣接セルの受信電力強度を示すし、
対応の第１性能属性情報値が隣接セルの干渉閾値になる隣接セルを、ターゲット干渉隣接セルとし、
前記分類ユニットは、
前記ターゲット干渉隣接セルの現在物理セル識別子を、ＭＯＤ３により余数値を得、余数値が同一である隣接セルを１種類とすることを特徴とする物理セル識別子の割り当て装置。
【請求項７】
前記特定ユニット各々隣接セルの第１性能属性情報値を計算する場合、
いずれの隣接セルについて、すべての干渉サンプリングポイントに対応するすべてのセル無線測定インデックス情報から、前記隣接セルに対応するすべての第２性能属性情報値を選出し、ここで、前記隣接セルに対応するいずれの第２性能属性情報値は、前記隣接セルの受信電力強度を示し、
選出したすべての第２性能属性情報値の平均値を、前記隣接セルの第１性能属性情報値とすることを特徴とする請求項６に記載の物理セル識別子の割り当て装置。
【請求項８】
前記割り当てユニットは、
各種類の隣接セルについて、前記種類に含まれる各々隣接セルの干渉度を計算し、算出した前記種類の各々干渉セルの干渉度の和を、前記種類干渉隣接セルから前記割り当て待機のセルへの干渉度とすることを特徴とする請求項６に記載の物理セル識別子の割り当て装置。
【請求項９】
前記割り当てユニット前記種類に含まれる各々隣接セルの干渉度を計算する場合、
いずれの隣接セルについて、対応のセル無線測定インデックス情報に前記隣接セルの第２性能属性情報値が含まれるすべての関連の干渉サンプリングポイントを確定し、
いずれの関連の干渉サンプリングポイントについて、当該関連のサンプリングポイントに対応する前記割り当て待機のセルのセル無線測定インデックス情報値及び前記隣接セルの第２性能属性情報値に基づき、前記隣接セルから前記割り当て待機のセルへのサブ干渉度を計算し、ここで、前記関連のサンプリングポイントに対応するセル無線測定インデックス情報は前記サブ干渉度とマイナス関連となり、前記前記隣接セルの第２性能属性情報値は前記干渉度とマイナス関連となり、
算出したすべてのサブ干渉度の和を、前記隣接セルの干渉度とすることを特徴とする請求項８に記載の物理セル識別子の割り当て装置。
【請求項１０】
前記割り当てユニットは、
最小干渉度に対応する余数値を、前記割り当て待機のセルの物理セル識別子の一次同期信号（ＰＳＳ）値とすることを特徴とする請求項６に記載の物理セル識別子の割り当て装置。
【発明の詳細な説明】
【技術分野】
【０００１】
本発明は無線通信技術の技術分野に関し、特に物理セルの識別子の割り当て方法及び装置に関する。
【背景技術】
【０００２】
ＴＤ−ＬＴＥ（Ｔｉｍｅ Ｄｉｖｉｓｉｏｎ Ｌｏｎｇ Ｔｅｒｍ Ｅｖｏｌｕｔｉｏｎ）システムには、物理セルＩＤ（識別子）は、リソースマッピング、コードリソース設定及び周波数ホッピング等のメカニズムそれぞれとバウンドされているため、物理セル識別子の設定は、ＴＤ−ＳＣＤＭＡ（Ｔｉｍｅ Ｄｉｖｉｓｉｏｎ Ｓｙｎｃｈｒｏｎｉｚｅｄ Ｃｏｄｅ Ｄｉｖｉｓｉｏｎ Ｍｕｌｔｉｐｌｅ Ａｃｃｅｓｓ）システムのスクランブリングコードプラニングの役目と相当し、同周波数ネットワーキング（ｃｏ−ｆｒｅｑｕｅｎｃｙ ｎｅｔｗｏｒｋｉｎｇ）において不可欠である。
【０００３】
物理セル識別子は、物理チャネル中スクランブリングコードのデフォルト値の生成を決める主な情報である。特にブロードキャストチャネル及び制御チャネルの場合、物理セル識別子の相関性は、制御チャネルスクランブリングコードの相関性を決め、チャネルの干渉にキーポイントとなる役割を果たす。
【０００４】
物理セル識別子及びＰＳＣ（Ｐｒｉｍａｒｙ Ｓｙｎｃｈｒｏｎｉｚａｔｉｏｎ Ｃｏｄｅ，一次同期コード）/ＳＳＣ（Ｓｅｃｏｎｄａｒｙ Ｓｙｎｃｈｒｏｎｉｚａｔｉｏｎ Ｃｏｄｅ，二次同期コード）のシーケンスインデックス番号それぞれと対応するため、即ち、物理セル識別子は、基準信号（ｒｅｆｅｒｅｎｃｅ ｓｉｇｎａｌ）の分布と関わり、隣接セルによる基準信号（ｒｅｆｅｒｅｎｃｅ ｓｉｇｎａｌ）間の干渉を防ぐため、物理セル識別子を合理に割り当てる必要がある。こうして、隣接セル間の基準信号（ｒｅｆｅｒｅｎｃｅ ｓｉｇｎａｌ）を異なる物理リソースにマッピングして、基準信号（ｒｅｆｅｒｅｎｃｅ ｓｉｇｎａｌ）間の干渉を低減させる。
【０００５】
実用において、物理セル識別子 ＭＯＤ３の余数が同一であれば、隣接セル間の基準信号（ｒｅｆｅｒｅｎｃｅ ｓｉｇｎａｌ）間の干渉がひどくなるため、現在、物理セル識別子の割り当ての場合、主に、隣接セル間のＭＯＤ３余数の同一さを避けることを原則とする。従来技術において、隣接セル間のＭＯＤ３余数の同一さを避けるためには、物理セル識別子の割り当ての際、ネットワークのトポロジー（ｔｏｐｏｌｏｇｙ）構造、たとえば、距離、方向角、カバリッジのシミュレーティド重なり面等パラメータにより、隣接セルの優先レベルを判断し、そして、高優先レベルの隣接セルを決める。こうして、高優先レベルの隣接セルの物理セル識別子のＭＯＤ３がセルの物理セル識別子のＭＯＤ３と異なることを確保すればよい。
【０００６】
たとえば、距離が一番短い３個の隣接セルを高優先レベルの隣接セルとし、セルが当該３個の隣接セルの物理セル識別子のＭＯＤ３と異なることを確保すればよい。しかし、地形、建築、送信電力などの要因で、発射功率等因素的影響，真正相互干渉が最大のセルは、距離が最短のセルではない場合もあり、このとき、従来の物理セル識別子の割り当て方法は、基準信号（ｒｅｆｅｒｅｎｃｅ ｓｉｇｎａｌ）干渉最小（Interference- minimum）の要求を満たせない。
【０００７】
よって、従来の物理セルの識別子の割り当て方法により基準信号（ｒｅｆｅｒｅｎｃｅ ｓｉｇｎａｌ）干渉を低減する効果は低い。
【先行技術文献】
【特許文献】
【０００８】
【特許文献１】国際公開第２０１５／１１００８５号
【発明の概要】
【発明が解決しようとする課題】
【０００９】
本発明に係る実施例は、物理セルの識別子の割り当て方法及び装置を提供し、基準信号（ｒｅｆｅｒｅｎｃｅ ｓｉｇｎａｌ）干渉低減の有効性を向上する。
【課題を解決するための手段】
【００１０】
本発明に係る実施例は、以下の技術手段を提供する。
【００１１】
物理セルの識別子の割り当て方法は、物理セル識別子の割り当てが必要となる割り当て待機のセルと関連する各々サンプリングポイントのセル無線測定インデックス情報を取得するステップ、前記セル無線測定インデックス情報は、セル的信号クオリティを示す前記取得ステップと、前記セル無線測定インデックス情報に基づき、同一チャネルの干渉サンプリングポイントを特定し、前記干渉サンプリングポイントのセル無線測定インデックス情報に基づき、隣接セルを特定するステップと、特定した隣接セルの現在物理セル識別子をＭＯＤ３に従い余数値を得、余数値が同一である隣接セルを１種類とするステップと、前記セル無線測定インデックス情報に基づき、各種類の隣接セルから前記割り当て待機のセルへの干渉度を特定し、最小干渉度に対応する余数値に基づき、前記割り当て待機のセルに対し物理セル識別子を割り当てるステップとを備える。
【００１２】
物理セル識別子の割り当て装置は、物理セル識別子の割り当てが必要となる割り当て待機のセルと関連する各々サンプリングポイントのセル無線測定インデックス情報を取得する取得ユニットであって、前記セル無線測定インデックス情報は、セル的信号クオリティを示す前記取得ユニットと、前記セル無線測定インデックス情報に基づき、同一チャネルの干渉サンプリングポイントを特定し、前記干渉サンプリングポイントのセル無線測定インデックス情報に基づき、隣接セルを特定する特定ユニットと、特定した隣接セルの現在物理セル識別子をＭＯＤ３に従い余数値を得、余数値が同一である隣接セルを１種類とする分類ユニットと、前記セル無線測定インデックス情報に基づき、各種類の隣接セルから前記割り当て待機のセルへの干渉度を特定し、最小干渉度に対応する余数値に基づき、前記割り当て待機のセルに対し物理セル識別子を割り当てる割り当てユニットとを備える。
【発明の効果】
【００１３】
本発明の効果は以下とおりである。
従来技術において、物理セル識別子を割り当てる場合、ネットワークトポロジー（ｔｏｐｏｌｏｇｙ）構造に基づき、隣接セルの優先レベルを特定し、特定した高優先レベルの複数のセルの物理セル識別子に基づき、物理セル識別子の割り当てを必要とするセルの物理セル識別子を割り当てる。しかし、ネットワークトポロジー（ｔｏｐｏｌｏｇｙ）構造に基づいて特定した高優先レベルの隣接セルが物理セル識別子の割り当てを必要とするセルの基準信号（ｒｅｆｅｒｅｎｃｅ ｓｉｇｎａｌ）に対する影響が小さいかもしれなく、基準信号（ｒｅｆｅｒｅｎｃｅ ｓｉｇｎａｌ）干渉を低減する効果が低い。一方、本発明に係る実施例によれば、隣接セルから物理セル識別子の割り当てを必要とする主セルへの干渉度を特定し、次に最小干渉度に対応する余数値に基づいて主セルの物理セル識別子を割り当て、これにより、基準信号（ｒｅｆｅｒｅｎｃｅ ｓｉｇｎａｌ）干渉を効果的に低減し、基準信号（ｒｅｆｅｒｅｎｃｅ ｓｉｇｎａｌ）干渉を低減する効果を向上することができるようになる。
【図面の簡単な説明】
【００１４】
【図１】本発明に係る実施例の物理セルの識別子の割り当て方法のである。
【図２】本発明に係る実施例中の物理セル識別子を割り当てる実施例である。
【図３】本発明に係る実施例の物理セル識別子の割り当て機能構造図である。
【発明を実施するための形態】
【００１５】
本発明に係る実施例の目的、技術手段及びメリットをさらに明確にするため、以下、本発明に係る実施例の図面を参照しながら、本発明に係る実施例の技術手段を欠落部分がないように明確に説明する。勿論、以下の説明における図面は本発明の実施例の一部であり、すべての実施例ではない。本発明に係る実施例によれば、当業者は、創造性作業を行わないことを前提として得た他の実施例は、すべて、本発明の保護範囲に属する。
【００１６】
また、本発明の技術用語「システム」及び「ネットワーク」が交替することができる。本発明の技術用語「及び/または」は、関連対象館の関連関係を説明するためだけ、３種関係の存在が可能であることを示す。たとえば、Ａ及び/またはＢは、Ａのみ存在、ＡとＢともに存在、Ｂのみ存在との３つの場合を示す。また、本発明における符号「/」は、関連対象間の「或いは」関係を示す。
【００１７】
基準信号（ｒｅｆｅｒｅｎｃｅ ｓｉｇｎａｌ）干渉を低減する効果を向上するため、本発明に係る実施例において、隣接セルから物理セル識別子の割り当てを必要とする主セルへの干渉度を特定し、次に最小干渉度に対応する余数値に基づいて主セルの物理セル識別子を割り当てる。こうして、基準信号（ｒｅｆｅｒｅｎｃｅ ｓｉｇｎａｌ）干渉を効果的に低減し、基準信号（ｒｅｆｅｒｅｎｃｅ ｓｉｇｎａｌ）干渉を低減する効果を向上することができるようになる。
【００１８】
以下、図面を参照しながら本発明の好ましい実施形態を詳細に説明する。理解されたいのは、明細書における好ましい実施例は、本発明の解釈及び説明のためだけ、本発明を限定する意図がない。かつ、衝突しない限り、本発明に係る実施例及び実施例の特徴は相互に組み合わせることもできる。
【００１９】
以下、図面を参照しながら本発明の好ましい実施形態を詳細に説明する。図１に示すように、本発明に係る実施例において、物理セル識別子の割り当ては、以下で詳細に説明する。
【００２０】
ステップ１００において、物理セル識別子の割り当てが必要となる割り当て待機のセルと関連する各々サンプリングポイントのセル無線測定インデックス情報を取得し、ここで、セル無線測定インデックス情報はセル的信号クオリティを示す。ステップ１１０において、セル無線測定インデックス情報に基づいて同一チャネルの干渉サンプリングポイントを特定し、干渉サンプリングポイントのセル無線測定インデックス情報に基づいて隣接セルを特定する。
【００２１】
ステップ１２０において、特定した隣接セルの現在物理セル識別子をＭＯＤ３に従い余数値を得、余数値が同一である隣接セルを１種類とする。ステップ１３０において、セル無線測定インデックス情報に基づき、各種類の隣接セルから割り当て待機のセルへの干渉度を特定し、最小干渉度に対応する余数値に基づき、割り当て待機のセルに対し物理セル識別子を割り当てる。
【００２２】
本発明に係る実施例によれば、セル無線測定インデックス情報に含まれる内容は多様であり、例えば、少なくともＲＳＲＰ（Reference signal received power、基準信号（ｒｅｆｅｒｅｎｃｅ ｓｉｇｎａｌ）受信電力）情報値、ＳＩＮＲ（Ｓｉｇｎａｌ ｔｏ ｉｎｔｅｒｆｅｒｅｎｃｅ ａｎｄ ｎｏｉｓｅ Ｒａｔｉｏ、信号対干渉比）情報値が備える。実用の場合、他の内容を含むこともでき、ここで詳しく説明しない。
【００２３】
この場合、セル無線測定インデックス情報に基づいて同一チャネルの干渉サンプリングポイントを特定するのは、このましくは、対応のＲＳＲＰ情報値が弱カバリッジ既定閾値までになっていない、及びＳＩＮＲ情報値が信号対干渉比（Ｓｉｇｎａｌ ｔｏ ｉｎｔｅｒｆｅｒｅｎｃｅ ａｎｄ ｎｏｉｓｅ Ｒａｔｉｏ、ＳＩＮＲ）既定閾値までになっていないサンプリングポイントを、同一チャネルの干渉サンプリングポイントとする。
【００２４】
例えば、物理セル識別子の割り当てが必要となるセルAと関連するサンプリングポイントは１０個あり、サンプリングポイント１、サンプリングポイント２、サンプリングポイント３、…、サンプリングポイント１０それぞれサンプリングポイントは、セルＡのＲＳＲＰ情報値及びＳＩＮＲ情報値に対応する。各々サンプリングポイントに対し、当該サンプリングポイントが干渉サンプリングポイントであるか否かを判断する。
【００２５】
具体的に、対応のセルAのＲＳＲＰ値及びＳＩＮＲ値を照合し、セルAのＲＳＲＰ値が弱カバリッジ既定閾値までになって、かつＳＩＮＲ値が信号対干渉比既定閾値までになっていない場合、当該サンプリングポイントは、同一チャネルの干渉サンプリングポイントである。最後特定したサンプリングポイント１、サンプリングポイント２、サンプリングポイント３、サンプリングポイント４、サンプリングポイント５は同一チャネルの干渉サンプリングポイントであり、かつ、サンプリングポイント１、サンプリングポイント２、サンプリングポイント３、サンプリングポイント４、サンプリングポイント５のセル無線測定インデックス情報に基づき、隣接セルが１０個であることを特定し、そして、特定した１０个隣接セルの現在物理セル識別子をＭＯＤ３により余数値を得、余数値が同一である隣接セルを１種類とする。さらに、１０個の隣接セルのうちの各々隣接セルの干渉度を算出し、最小干渉度に対応する余数値に基づいて、セルＡに対し物理セル識別子を割り当てる。
【００２６】
以上はセル無線測定インデックス情報に基づいて同一チャネルの干渉サンプリングポイントを特定する実施例にすぎず、実用において、他の多様な実施例も多様にあるが、ここで詳細に説明しない。
【００２７】
本発明に係る実施例において、各々サンプリングポイントのセル無線測定インデックス情報には、割り当て待機のセルのセル無線測定インデックス情報が必ず含まれているが、隣接セルのセル無線測定インデックス情報が含まれていない場合もある。即ち、割り当て待機のセルのセル無線測定インデックス情報が必ず含まれる一方、隣接セルのセル無線測定インデックス情報が含まれる可能性もあり、含まれていない可能性もある。表１を参照されたい。
【００２８】
【表１】
0006313459.tif 000002
【００２９】
本発明に係る実施例において、好ましくは、弱カバリッジ既定閾値を-１００dBmとし、信号対干渉比既定閾値を８０ dBmとする。勿論、応用の場合、他の値にすることもできるが、ここで詳細に説明しない。
【００３０】
干渉度の計算効率を上がるため、干渉サンプリングポイントのセル無線測定インデックス情報に基づいて隣接セルを特定した後、特定した隣接セルの現在物理セル識別子をＭＯＤ３に従い余数値を得、余数値が同一である隣接セルを１種類とする前に、ターゲット干渉隣接セルを特定する必要もあり、以下で具体的に説明する。
【００３１】
各々隣接セルの第１性能属性情報値を計算し、ここで、第１性能属性情報値は、当該隣接セルの受信電力強度を示す。対応の第１性能属性情報値が隣接セルの干渉閾値になる隣接セルを、ターゲット干渉隣接セルとする。
【００３２】
この場合、特定した隣接セルの現在物理セル識別子をＭＯＤ３に従い余数値を得、余数値が同一である隣接セルを１種類とするのは、ターゲット干渉隣接セルの現在物理セル識別子をＭＯＤ３により余数値を得、余数値が同一である隣接セルを１種類とする。
【００３３】
例えば、特定した隣接セルが１０個あり、干渉強度の計算効率を向上するため、当該１０個の隣接セルから干渉可能の隣接セルを特定する。即ち、ターゲット干渉隣接セルを特定する。例えば、ターゲット干渉隣接セルが５個であれば、当該５個のターゲット干渉隣接セルの干渉強度を計算すればよいため、干渉強度の計算効率を上がることができる。
【００３４】
本発明に係る実施例において、好ましくは、第１性能属性情報値は、ＲＳＲＰ情報値である。例えば、第１隣接セルのＲＳＲＰ情報値が-１００dBmから隣接セル干渉閾値-１２０ｄＢｍまでになると、第１隣接セルがターゲット干渉隣接セルとなる。実用において、他の方法より隣接セルからターゲット干渉隣接セルを選出できるが、ここでこの以上説明しない。
【００３５】
本発明に係る実施例は、特定した隣接セルの現在物理セル識別子をＭＯＤ３に従い余数値を得、余数値が同一である隣接セルを１種類とする。
【００３６】
例えば、１０個の隣接セルがあり、隣接セル１、隣接セル２、隣接セル３の物理セル識別子が３より割って得た余数値が０であれば、隣接セル１、隣接セル２、隣接セル３は第１干渉隣接セルである。隣接セル４、隣接セル５、隣接セル６の物理セル識別子が３より割って得た余数値が１であれば、隣接セル４、隣接セル５、隣接セル６は第２干渉隣接セルである。隣接セル７、隣接セル８、隣接セル９、隣接セル１０の物理セル識別子が３より割って得た余数値が２であれば、隣接セル７、隣接セル８、隣接セル９、隣接セル１０は第３干渉隣接セルである。
【００３７】
勿論、実用の場合、割り当て待機のセルの隣接セルは、上述３種のいずれの１つか、またはそれらの任意の組み合わせであり、ここで詳細に説明しない。
【００３８】
本発明に係る実施例において、各々隣接セルの第１性能属性情報値を計算する方法は多様であるが、以下で説明する。
【００３９】
いずれの隣接セルについて、すべての干渉サンプリングポイントに対応するすべてのセル無線測定インデックス情報から、当該隣接セルに対応するすべての第２性能属性情報値を選出する。ここで、当該隣接セル対応のいずれの第２性能属性情報値は、当該隣接セルの受信電力強度を示す。選出したすべての第２性能属性情報値の平均値を、当該隣接セルの第１性能属性情報値とする。
【００４０】
例えば、表１を例とし、サンプリングポイント１-サンプリングポイント５のいずれも干渉サンプリングポイントであり、隣接セル１の第１性能属性情報値を計算する場合、具体的に隣接セル１のＲＳＲＰ情報値を計算する場合、サンプリングポイント１及びサンプリングポイント３には隣接セル１のＲＳＲＰが含まれるため、サンプリングポイント１及びサンプリングポイント３それぞれに含まれる隣接セル１のＲＳＲＰ情報値を-９５、-９５の平均値、即ち-９５を隣接セル１のＲＳＲＰ情報値とする。表１に示すいずれの隣接セルのＲＳＲＰ情報値の計算は、隣接セル１と類似するため、ここで説明しない。
【００４１】
本発明に係る実施例において、セル無線測定インデックス情報に基づき、各種類の隣接セルから割り当て待機のセルへの干渉度を特定するには、多様な方法があるが、以下、好ましい方法を説明する。
【００４２】
各種類の隣接セルについて、前記種類に含まれる各々隣接セルの干渉度を計算し、算出した前記種類の各々干渉セルの干渉度たちの和を、前記種類の干渉隣接セルから割り当て待機のセルへの干渉度とする。
【００４３】
例えば、１０個の隣接セルにおいて、物理セル識別子を３で割って得た余数値が２のある隣接セルが３個あれば、余数値が２である種類の隣接セルの干渉度を計算する場合、含まれる３個の隣接セルの干渉度たちを加算して、その和を余数値が２である種類の隣接セルから物理セル識別子の割り当てが必要となる割り当て待機のセルへの干渉度とする。
【００４４】
本発明に係る実施例において、前記種類に含まれる各々隣接セルの干渉度の計算方法は多様であるが、好ましくは、例えば、いずれの隣接セルについて、対応のセル無線測定インデックス情報に当該隣接セルの第２性能属性情報値が含まれるすべての関連の干渉サンプリングポイントを確定する。
【００４５】
いずれの関連の干渉サンプリングポイントについて、当該関連のサンプリングポイントに対応するセル無線測定インデックス情報及び当該隣接セルの第２性能属性情報値に基づいて、サブ干渉度を計算し、ここで、当該関連のサンプリングポイントに対応するセル無線測定インデックス情報は、サブ干渉度とマイナス関連となり、当該隣接セルの第２性能属性情報値は、干渉度とマイナス関連となる。算出したすべてのサブ干渉度の和を、当該隣接セルの干渉度とする。
【００４６】
当該関連のサンプリングポイントに対応する割り当て待機のセルのセル無線測定インデックス情報及び当該隣接セルの第２性能属性情報値に基づいて、サブ干渉度を計算する場合、割り当て待機のセルのセル無線測定インデックス情報がＲＳＲＰ情報値であり、当該隣接セルの第２性能属性情報値もＲＳＲＰ情報値である場合、数１により実現できる
【００４７】
【数１】
0006313459.tif 000003
【００４８】
ここで、RSCP_maxは、物理セル識別子の割り当てが必要となる待分配物理セルのＲＳＲＰ値である。ＲＳＣＰ_iは、隣接セルiの関連の干渉サンプリングポイントから当該隣接セルiへのＲＳＲＰである。ＩＳ（i）は、隣接セルiから割り当て待機のセルへのサブ干渉度である。
【００４９】
例えば、表１に示すように、隣接セル５の干渉度を計算する場合、サンプリングポイント１、サンプリングポイント４、サンプリングポイント５には隣接セル５のＲＳＲＰ情報値が含まれるため、サンプリングポイント１、サンプリングポイント４、サンプリングポイント５は、隣接セル５と関連する干渉サンプリングポイントである。サンプリングポイント１、サンプリングポイント４、サンプリングポイント５は、隣接セル５にいずれかのサンプリングポイントであり、サンプリングポイント４において、隣接セル５から割り当て待機のセル１へのサブ干渉度を計算する場合、-９５がＲＳＣＰ_i、-９６がＲＳＣＰ_maxであり、数１により、サブ干渉度１をさらに算出する。同様に、サンプリングポイント１のサブ干渉度２、及びサンプリングポイント５のサブ干渉度３を計算して、サブ干渉度１、干渉度２及び干渉度３の和を隣接セル５から割り当て待機のセル１への干渉度とする。
【００５０】
本発明に係る実施例において、最小干渉度に対応する余数値に基づき、割り当て待機のセルに対し物理セル識別子を割り当てる方法は多様であるが、好ましくは、最小干渉度に対応する余数値を割り当て待機のセルの物理セル識別子内のＰＳＳ（Ｐｒｉｍａｒｙ Ｓｙｎｃｈｒｏｎｉｚｅｄ Ｓｉｇｎａｌ、一次同期信号）値とする。例えば、各種類の隣接セルに対応する干渉度は、表２に示される。
【００５１】
【表２】
0006313459.tif 000004
【００５２】
表２により、物理セル識別子が２で割って得た干渉度が最小であり、物理セル識別子の割り当てが必要となるセルの現在物理セル識別子内のPSS値を２.に修正する。
【００５３】
物理セル識別子= ３* Group ID ( S-SS)+ Sector ID (P-SS)であるため、PSSを特定した後、応用に応じてSSSをアップデートすることができ、ＳＳＳの選択は、以下の原則を守る。
【００５４】
物理セル識別子の多重化は、少なくとも４階層以上のセル間隔と取り、５倍のセルカバリッジ半径より大きいため、物理セル識別子の割り当てが必要となるセル之間的距離が半径４ＫＭの範囲以内の、出現したＳＳＳ（Ｓｅｃｏｎｄａｒｙ Ｓｙｎｃｈｒｏｎｉｚａｔｉｏｎ Ｓｉｇｎａｌ、二次同期信号）を選択しない。残りは候補集合となり、ランダムに選択することができる。
【００５５】
本発明に係る実施例をより理解するため、以下、図２に示すように、実用のシーンに基づいて、物理セル識別子の割り当てをさらに詳細に説明する。ステップ２００において、物理セル識別子の割り当てが必要となる割り当て待機のセルAと関連する１０個のサンプリングポイントのうちの各々サンプリングポイントのＲＳＲＰ情報値及びＳＩＮＲ情報値を取得する。
【００５６】
ステップ２１０において、ＲＳＲＰ情報値、ＳＩＮＲ情報値に基づいてサンプリングポイント１、サンプリングポイント５が同一チャネルの干渉サンプリングポイントであることを特定する。
【００５７】
ステップ２２０において、サンプリングポイント１、サンプリングポイント５のＲＳＲＰ情報値に基づいて、隣接セルが隣接セル１-１０であることを特定する。ステップ２３０において、隣接セル１ないし隣接セル１０内の各々隣接セルのＲＳＲＰ情報値に基づき、隣接セル１、隣接セル２、隣接セル３がターゲット干渉隣接セルであることを特定する。
【００５８】
ステップ２４０において、隣接セル１、隣接セル２、隣接セル３に対応する物理セル識別子を３で割って得た余数値それぞれは０、１、２である。ここで、余数値１に対応する干渉度が最小である。
【００５９】
ステップ２５０において、１をセルAの物理セル識別子内のＰＳＳとする。図３に示すように、本発明に係る実施例は物理セル識別子の割り当て装置を提供する。当該物理セル識別子の割り当て装置は、取得ユニット３０と、特定ユニット３１と、分類ユニット３２と、割り当てユニット３３とを備える。
【００６０】
前記取得ユニット３０は、物理セル識別子の割り当てが必要となる割り当て待機のセルと関連する各々サンプリングポイントのセル無線測定インデックス情報を取得する。セル無線測定インデックス情報はセル的信号クオリティを示す。
【００６１】
特定ユニット３１は、セル無線測定インデックス情報に基づいて同一チャネルの干渉サンプリングポイントを特定し、同一チャネルの干渉サンプリングポイントのセル無線測定インデックス情報に基づき、隣接セルを特定する。
【００６２】
前記分類ユニット３２は、特定した隣接セルの現在物理セル識別子をＭＯＤ３に従い余数値を得、余数値が同一である隣接セルを１種類とする。
【００６３】
前記割り当てユニット３３は、セル無線測定インデックス情報に基づき、各種類の隣接セルから割り当て待機のセルへの干渉度を特定し、最小干渉度に対応する余数値に基づき、割り当て待機のセルに対し物理セル識別子を割り当てる。
【００６４】
好ましくは、本発明に係る実施例において、取得ユニット３０により取得したセル無線測定インデックス情報には、少なくともＲＳＲＰ情報値及びＳＩＮＲ情報値が含まれる。
【００６５】
特定ユニット３１は、対応のＲＳＲＰ情報値が弱カバリッジ既定閾値までになっていない、及ＳＩＮＲ情報値が信号対干渉比既定閾値までになっていない的サンプリングポイントを、同一チャネルの干渉サンプリングポイントとする。
【００６６】
さらに、本発明に係る実施例において、特定ユニット３１は、各々隣接セルの第１性能属性情報値を計算し、ここで、第１性能属性情報値は、当該隣接セルの受信電力強度を示す。対応の第１性能属性情報値が隣接セルの干渉閾値になる隣接セルを、ターゲット干渉隣接セルとする。
【００６７】
分類ユニット３２は、ターゲット干渉隣接セルの現在物理セル識別子をＭＯＤ３により余数値を得、余数値が同一である隣接セルを１種類とする。
【００６８】
好ましくは、本発明に係る実施例において、特定ユニット３１は、各々隣接セルの第１性能属性情報値を計算する場合、いずれの隣接セルについて、すべての干渉サンプリングポイントに対応するすべてのセル無線測定インデックス情報から、当該隣接セルに対応するすべての第２性能属性情報値を選出する。ここで、当該隣接セルに対応いずれの第２性能属性情報値は、当該隣接セルの受信電力強度を示す。
【００６９】
選出したすべての第２性能属性情報値の平均値を、当該隣接セルの第１性能属性情報値とする。
【００７０】
好ましくは、本発明に係る実施例において、割り当てユニット３３は、各種類の隣接セルについて、前記種類中包括的各々隣接セルの干渉度を計算し、算出した前記種類の各々干渉セルの干渉度の和を、前記種類干渉隣接セル対割り当て待機のセルの干渉度とする。好ましくは、本発明に係る実施例において、割り当てユニット３３は、前記種類中包括的各々隣接セルの干渉度を計算する場合、いずれの隣接セルについて、対応のセル無線測定インデックス情報に当該隣接セルの第２性能属性情報値が含まれるすべての関連の干渉サンプリングポイントを確定する。
【００７１】
いずれの関連の干渉サンプリングポイントについて、当該関連のサンプリングポイントに対応する割り当て待機のセルのセル無線測定インデックス情報値及び当該隣接セルの第２性能属性情報値に基づき、当該隣接セルから割り当て待機のセルへのサブ干渉度を計算する。ここで、当該関連のサンプリングポイントに対応するセル無線測定インデックス情報は、サブ干渉度とマイナス関連となり、当該隣接セルの第２性能属性情報値は、干渉度とマイナス関連となる。
【００７２】
算出したすべてのサブ干渉度の和を当該隣接セルの干渉度とする。
【００７３】
好ましくは、本発明に係る実施例において、割り当てユニット３３は、最小干渉度に対応する余数値を、割り当て待機のセルの物理セル識別子内のＰＳＳ値とする。
【００７４】
よって、本発明に係る実施例において、基準信号（ｒｅｆｅｒｅｎｃｅ ｓｉｇｎａｌ）干渉を低減する効果を向上するため、物理セル識別子の割り当てが必要となる割り当て待機のセルと関連する各々サンプリングポイントのセル無線測定インデックス情報を取得し、ここで、セル無線測定インデックス情報はセル的信号クオリティを示、セル無線測定インデックス情報に基づいて同一チャネルの干渉サンプリングポイントを特定し、干渉サンプリングポイントのセル無線測定インデックス情報に基づいて隣接セルを特定し、特定した隣接セルの現在物理セル識別子をＭＯＤ３に従い余数値を得、余数値が同一である隣接セルを１種類とし、セル無線測定インデックス情報に基づき、各種類の隣接セルから割り当て待機のセルへの干渉度を特定し、最小干渉度に対応する余数値に基づき、割り当て待機のセルに対し物理セル識別子を割り当てる。当該技術案において、隣接セルから物理セル識別子の割り当てを必要とするプライマリーセルへの干渉度を特定し、次に最小干渉度に対応する余数値に基づいて主セルの物理セル識別子を割り当て、これにより、基準信号（ｒｅｆｅｒｅｎｃｅ ｓｉｇｎａｌ）干渉を効果的に低減し、基準信号（ｒｅｆｅｒｅｎｃｅ ｓｉｇｎａｌ）干渉を低減する効果を向上することができるようになる。
【００７５】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【００７６】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【００７７】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【００７８】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【００７９】
上述した実施形態に記述された技術的な解決手段を改造し、或いはその中の一部の技術要素を置換することもできる。そのような、改造と置換は本発明の各実施形態の技術の範囲から逸脱するとは見なされない。
【００８０】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【００８１】
本出願は、２０１４年１月２７日に中国特許局に提出し、出願番号が２０１４１００３９００４．０であり、発明名称が「物理セルの識別子の割り当て方法及び装置」との中国特許出願を基礎とする優先権を主張し、その開示の総てをここに取り込む。
【図１】
0006313459.tif 000005
【図２】
0006313459.tif 000006
【図３】
0006313459.tif 000007